(57)【要約】【課題】遊技用有価価値情報を処理するシステムのセキュリティ性を向上させつつ利用者が遊技を中断することがないようにすることで利用者の利便性を向上できる仕組みを提供する。【解決手段】カード６にはカードＩＤなどの識別情報を記憶し、各島端コンピュータ３のカード情報記憶部３０１にカードＩＤと残高を記憶しておき、玉貸装置４で読み取ったカードＩＤを島端コンピュータ３に照会し、照会を受けた島端コンピュータ３がカード情報記憶部３０１に記憶されている残高を玉貸装置４に通知して、当該残高に基づいて玉貸装置４が玉貸し処理を行うようにした。【選択図】        図１
2004344214.tif 000002
【特許請求の範囲】
【請求項１】
情報記憶可能な記憶媒体と、前記記憶媒体に記憶された情報を読み取って遊技媒体の貸出処理を行う遊技媒体貸出装置と、前記複数の遊技媒体貸出装置からなる遊技媒体貸出装置群ごとに設けられ、相互に通信可能に構成された複数の管理装置とを有するシステムであって、
上記記憶媒体は、記憶媒体を識別するための識別情報を記憶し、
上記遊技媒体貸出装置は、
上記記憶媒体に記憶された識別情報を読み取る読取手段と、
読み取った識別情報を上記管理装置に送信して当該識別情報に関連付けられている有価価値情報の照会要求を行う手段と、
照会要求に応じて上記管理装置から通知された有価価値情報に基づいて遊技媒体の貸出を指示する手段と、を有し、
上記管理装置は、
上記記憶媒体の識別情報と関連付けて有価価値情報を記憶する記憶手段と、
上記遊技媒体貸出装置からの照会要求に基づいて、上記記憶手段を参照して識別情報に関連付けられて記憶されている有価価値情報を上記遊技媒体貸出装置に対して通知する手段と、
上記照会要求された記憶媒体の識別情報及び有価価値情報が上記記憶手段に存在しない場合に他の管理装置に対して照会要求を行い、当該記憶媒体の識別情報及び有価価値情報を他の管理装置から取得する手段と、
を有することを特徴とする遊技場用有価情報管理システム。
【請求項２】
上記管理装置は、他の管理装置からの記憶媒体の識別情報の照会要求に基づいて、上記記憶手段に当該照会された記憶媒体の識別情報及び有価価値情報が記憶されている時に、当該識別情報及び有価価値情報を他の管理装置に送信するとともに、当該記憶媒体識別情報及び有価価値情報を上記記憶手段から消去する手段を更に有する、
請求項１記載の遊技場用有価情報管理システム。
【請求項３】
所定のタイミングで上記記憶媒体の識別情報及び有価価値情報を記憶するバックアップ手段を更に有する、
請求項１又は２記載の遊技場用有価情報管理システム。
【請求項４】
上記管理装置と通信可能に構成された上位管理コンピュータを更に有し、
上記上位管理コンピュータは、所定のタイミングで各管理装置が記憶している記憶媒体の識別情報及び有価価値情報を収集する、
請求項１〜３のいずれかの項に記載の遊技場用有価情報管理システム。
【請求項５】
上記遊技媒体貸出装置は、
利用者から挿入された貨幣の金額を判別する金銭判別手段と、
上記挿入された金額が、予め設定された設定金額よりも低いか否か判別する設定金額判別手段と、を更に有し、
上記遊技媒体貸出処理手段は、利用者が投入した金額が設定金額以下と判別された場合、上記投入された金額を上記管理装置が記憶している有価価値情報に加算せずに、上記投入された金額に相当する遊技媒体の貸出を指示する、
請求項１〜４のいずれかの項に記載の遊技場用情報管理システム。
【請求項６】
上記遊技媒体貸出装置は、
上記設定金額判別手段により、利用者が投入した金額が所定金額を超えていると判別された場合に、上記投入金額に応じた有価価値情報を上記記憶手段に記憶されている有価価値情報に加算する手段を更に有する、
請求項５記載の遊技場用情報管理システム。
【発明の詳細な説明】
【０００１】
【発明の属する技術分野】
本発明は、パチンコ、パチンコスロットなどの遊技を行う遊技場で使用される有価情報を管理するための技術に関する。
【０００２】
【従来の技術】
パチンコなどの遊技場では、有価価値情報を記憶したカードを利用者に発行し、玉貸装置がカードの有価価値情報を読み取って、カードに記憶されている有価価値情報の範囲内で玉貸し処理を行うシステムがある。
このようなシステムでは、カードの有価価値情報が改竄されて不正に使用されないために、店内で使用されているカードのカードＩＤなどの識別情報及び残額などの有価価値情報を管理する店舗内コンピュータを設けている。そして、玉貸装置が玉貸処理を行う際に、カードＩＤなどの識別情報及び有価価値情報を店舗内コンピュータに対して照会し、認証してから玉貸処理を行っていた。
【０００３】
また、このような従来のシステムでは、何らかの障害により店舗内コンピュータと玉貸装置との間の通信ができなくなった場合には、店舗内コンピュータに対してカードの照会を行えないという問題があった。
このような問題を解決するため、遊技店内のターミナルコントローラ（店舗内コンピュータ）と、このターミナルコントローラに接続された複数の島コントローラとを有し、障害によりターミナルコントローラにアクセスできなくなった時に、配送情報データベース及び発行カードデータベースの内容を複数の島コントローラで記憶することにより、他の島コントローラが共働してターミナルコントローラの代行を行うシステムが提案されている（例えば、特許文献１）。
【０００４】
【特許文献１】
特開２０００−５４２８号公報（第２−８ページ、第１図）
【０００５】
【発明が解決しようとする課題】
しかし、従来のシステムでは、カード自体が有価価値情報を記憶しておき、上位装置等に障害があったときに、このカードに記憶されている有価価値情報に基づいて玉貸処理を行っていた。そのため、上位装置に障害が発生した場合に、不正に改竄されたカードが使用されてもこれをチェックすることができずセキュリティ上の問題があった。
【０００６】
一方、上位装置である店舗内コンピュータの障害、通信の障害などによりカードが使用できなくなってしまうとカードによる玉貸処理を行えず、遊技を行っていた利用者が遊技を中止しなくてはならないなどの問題があった。そのため、このような場合であっても、利用者が遊技を継続できるようなシステムを提供する必要があった。
【０００７】
本発明は、上記課題及び問題点を解決するためになされたものであって、遊技用有価価値情報を処理するシステムのセキュリティ性を向上させること、またシステムのセキュリティ性を保ちつつ利用者が遊技を中断することがないようにすることで利用者の利便性を向上できる仕組みを提供することを課題とする。
【０００８】
【課題を解決するための手段】
上述の課題を解決するため、本発明の一の観点にかかる遊技場用有価情報管理システムは、情報記憶可能な記憶媒体と、前記記憶媒体に記憶された情報を読み取って遊技媒体の貸出処理を行う遊技媒体貸出装置と、前記複数の遊技媒体貸出装置からなる遊技媒体貸出装置群ごとに設けられ、相互に通信可能に構成された複数の管理装置とを有するシステムであって、上記記憶媒体は、記憶媒体を識別するための識別情報を記憶し、上記遊技媒体貸出装置は、上記記憶媒体に記憶された識別情報を読み取る読取手段と、読み取った識別情報を上記管理装置に送信して当該識別情報に関連付けられている有価価値情報の照会要求を行う手段と、照会要求に応じて上記管理装置から通知された有価価値情報に基づいて遊技媒体の貸出を指示する手段とを有し、上記管理装置は、上記記憶媒体の識別情報と関連付けて有価価値情報を記憶する記憶手段と、上記遊技媒体貸出装置からの照会要求に基づいて、上記記憶手段を参照して識別情報に関連付けられて記憶されている有価価値情報を上記遊技媒体貸出装置に対して通知する手段と、上記照会要求された記憶媒体の識別情報及び有価価値情報が上記記憶手段に存在しない場合に他の管理装置に対して照会要求を行い、当該記憶媒体の識別情報及び有価価値情報を他の管理装置から取得する手段とを有することを特徴とする。
【０００９】
これにより、記憶媒体自体は識別情報を有しているのみであるため、記憶媒体の偽造・変造などの不正が行われても、その有価価値情報は各遊技媒体貸出装置群ごとに設けられた管理装置により分散して管理されていることから改変されることがなく、セキュリティ性を向上させることができる。
【００１０】
また、上記管理装置は、他の管理装置からの記憶媒体の識別情報の照会要求に基づいて、上記記憶手段に当該照会された記憶媒体の識別情報及び有価価値情報が記憶されている時に、当該識別情報及び有価価値情報を他の管理装置に送信するとともに、当該記憶媒体識別情報及び有価価値情報を上記記憶手段から消去する手段を更に有してもよい。
これにより、現在記憶媒体が使用されている遊技媒体貸出装置が属している管理装置に有価価値情報の管理が移ることとなり、有価価値情報が使用されるごとに他の管理装置に問い合わせる場合に比べて通信負荷を軽減できる。
【００１１】
また、所定のタイミングで上記記憶媒体の識別情報及び有価価値情報を記憶するバックアップ手段を更に有してもよい。これにより、データのバックアップをすることができる。
【００１２】
また、上記管理装置と通信可能に構成された上位管理コンピュータを更に有し、上記上位管理コンピュータは、所定のタイミングで各管理装置が記憶している記憶媒体の識別情報及び有価価値情報を収集するようにしてもよい。
【００１３】
また、上記遊技媒体貸出装置は、利用者から挿入された貨幣の金額を判別する金銭判別手段と、上記挿入された金額が、予め設定された設定金額よりも低いか否か判別する設定金額判別手段とを更に有し、上記遊技媒体貸出処理手段は、利用者が投入した金額が設定金額以下と判別された場合、上記投入された金額を上記管理装置が記憶している有価価値情報に加算せずに、上記投入された金額に相当する玉貸処理を行うようにしてもよい。
【００１４】
これにより、設定金額以下の入金に対しては、わざわざ有価価値情報に加算するまでもなく、遊技媒体の貸出が行われるため管理装置に加算要求を行うなどの処理を行う必要が無く、システムの負荷を軽減できる。また、これにより、管理装置に有価価値情報の照会要求が行えない場合であっても、設定金額以下の入金に対しては遊技媒体の貸出を行うことができ利用者の遊技を中断することはなく遊技を継続できる。
【００１５】
また、上記遊技媒体貸出装置は、上記設定金額判別手段により、利用者が投入した金額が所定金額を超えていると判別された場合に、上記投入金額に応じた有価価値情報を上記記憶手段に記憶されている有価価値情報に加算する手段を更に有してもよい。
これにより、設定金額以上の入金の場合には、管理装置側でチェックを行ったうえで入金、加算処理をすることができる。
【００１６】
【発明の実施の形態】
以下、図面を参照して本発明にかかる遊技用有価価値情報処理システムの一実施形態について説明する。
図１に本実施形態にかかるシステムの全体構成の一例を示す。図１において、本実施形態にかかるシステムは、カード会社等が管理する管理センタ１と、この管理センタ１と公衆回線網、専用回線などの所定の通信回線などを介して接続可能に構成されたホール（店）内の店内管理コンピュータ２と、この店内管理コンピュータ２と有線又は無線のＬＡＮ（Ｌｏｃａｌ  Ａｒｅａ  Ｎｅｔｗｏｒｋ）などを介して相互に接続可能に構成された島端コンピュータ３と、この島端コンピュータ３と有線又は無線のＬＡＮ（Ｌｏｃａｌ  Ａｒｅａ  Ｎｅｔｗｏｒｋ）などを介して接続可能に構成された玉貸装置４と、玉貸装置４からの指示により玉貸を行い遊技を実行する遊技台５と、利用者が保持するカード６を有している。
また、本実施形態にかかるシステムは、この他に店内管理コンピュータ２と有線又は無線のＬＡＮ（Ｌｏｃａｌ  Ａｒｅａ  Ｎｅｔｗｏｒｋ）などを介して接続可能に構成された、遊技台５の出玉状況などを管理するホールコンピュータ７、ホールの会員利用者向けの情報を提供するための会員サーバ８、景品等の処理を行うためのＰＯＳ（Ｐｏｉｎｔ  Ｏｆ  Ｓａｌｅ）サーバ９、カード６の精算処理を行うための精算機１０及び出玉の計数を行う計数機１１などを有している。
【００１７】
管理センタ１は、カード６を発行する会社が保有するコンピュータである。この管理センタ１では、各ホールに使用されるカード６のカード情報を生成し管理する装置である。また、管理センタ１は、第三者発行型のシステムでは、店内管理コンピュータ２が集計した各ホールでのカードの使用金額情報を収集して決済を行うことができる。
【００１８】
店内管理コンピュータ２は、店内のカード利用金額の集計処理を行う。この処理としては、店内管理コンピュータ２が各島端コンピュータ３が保持しているカード６の有価価値情報を１日１回などの所定のタイミングで収集する。そして、店内管理コンピュータ２は、収集したカード利用金額を所定のフォーマット等に編集したり、それを所定のディスプレイや帳票として出力したり、また電子データとして出力することができる。また、島端コンピュータ２から収集したカード６や島端コンピュータ２などのエラー情報を受信してログとして管理したり、また不正なカード６に関する情報を各島端コンピュータ３に配信するようにしてもよい。
【００１９】
島端コンピュータ３は、複数の遊技台及び玉貸装置群から形成される島ごとに配置され、各島に配置されている玉貸装置４で使用されたカード６の有価価値情報の管理を行う装置である。この島端コンピュータ３は、ＣＰＵ（Ｃｅｎｔｒａｌ  Ｐｒｏｃｅｓｓｉｎｇ  Ｕｎｉｔ）と、ＣＰＵが実行するコンピュータプログラム、このコンピュータプログラムや他のデータを記憶するためのＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などの内部メモリ及びハードディスクドライブなどの外部記憶装置により図２に示した機能ブロックを構成することができる。
図２に示した機能ブロックは、カード情報記憶部３０１、アドレス情報記憶部３０２、通信処理部３０３、許可情報処理部３０４、照会処理部３０５、照会要求受付処理部３０６、島端コンピュータ３自身がエラーを起こしていないかを判別する自己ヘルスチェック処理を行うヘルスチェック処理部３０７から構成されている。
【００２０】
カード情報記憶部３０１は、島端コンピュータ３が管理しているカード情報を記憶する記憶部である。このカード情報記憶部３０１には、図３に示すようにカード６に付与されている識別情報としてのカードＩＤ、カード６が保持している有価価値情報としての残高、発行日などのカード情報を記憶することができる。
なお、残高は、利用金額であってもよいし、利用可能な玉数などであってもよく、有価価値情報として記録されていればよい。
また、この他カード情報記憶部３０１には、カード６を発行した玉貸装置４を特定するＩＤなどの情報、有効期限などの情報を適宜保持するようにしてもよく任意である。
【００２１】
アドレス情報記憶部３０２は、店内管理コンピュータ２、他の島端コンピュータ３及び管理している島に属している玉貸装置４に対して通信を行うためのアドレス情報が各装置の識別情報に関連付けて記憶されている。
【００２２】
通信処理部３０３は、ＬＡＮを介して他の島端コンピュータ３と通信を行ったり、また店内管理コンピュータ２と通信を行う際に、所定のプロトコルに基づいて通信処理を行う。
【００２３】
許可情報処理部３０４は、玉貸装置４に挿入され読み取られたカード情報の認証処理を行い、その結果を玉貸装置４に通知する処理を行う。
この認証処理は、許可通知処理３０４が、玉貸装置４からの要求により玉貸装置４に挿入されたカード６のカードＩＤが、カード情報記憶部３０１に記憶されているか否かを判別することにより行うことができる。また、認証の結果、カード情報記憶部３０１にカードＩＤが存在する場合には、許可情報処理部３０４は、カード情報記憶部３０１に記憶されている残高の範囲内で、当該カードの使用を許可する旨を玉貸装置４に対して通知する。
【００２４】
照会処理部３０５は、玉貸装置４からカード情報記憶部３０１に記憶されていないカード情報の照会要求があった場合に、他の島端コンピュータ３に対して当該カード情報の照会要求を行い、カード情報を取得する。
【００２５】
照会要求受付処理部３０６は、他の島端コンピュータ３からのカード情報の照会要求に基づいて、照会要求されたカード情報がカード情報記憶部３０１に記憶されているか否か判別し、記憶されているときには当該カードＩＤ及び残高、発行日などのカード情報を他の島端コンピュータ３に送信する。
また、照会要求受付処理部３０６は、他の島端コンピュータ３からのカードデータ消去要求に応じて、当該他の島端コンピュータ３に送信したカードＩＤ、残高及び発行日などのカード情報をカード情報記憶部３０１から削除して更新する処理を行う。
【００２６】
玉貸装置４は、遊技媒体としてのパチンコ玉を利用者に貸し出す処理及び、残高に対して入金を行うための処理を行う装置である。この玉貸装置４は、遊技台５の台間にそれぞれ配置されており遊技台５と連動して玉貸処理を行うことができる。
この玉貸装置４は、その正面に図４に示すように紙幣挿入部４１、硬貨挿入部４２、硬貨返却部４３、エラー表示部４４、メッセージ表示部４５、カード挿入・返却部４６を有している。また、玉貸装置４は、またその内部に、図５に示すように、ＬＡＮインタフェース４０１、遊技台インタフェース４０２、貨幣識別装置４０３、表示装置４０４、及び各機器を制御するための制御部４０５、カードリーダ４０６、ＲＡＭ４０７、ＲＯＭ４０８、バックアップ部４０９及び図示しない電源装置を有している。
【００２７】
ＬＡＮインタフェース４０１は、店舗内のＬＡＮを介して島端コンピュータ３と通信を行う際のインタフェースを制御する。また、遊技台インタフェース４０２は、遊技台５との間でデータを送受信する際のインタフェースを制御する。
【００２８】
貨幣識別装置４０３は、利用者により紙幣挿入部４１又は硬貨挿入部４２から投入された紙幣や硬貨の金種及びその真贋を判別する処理を行う。この貨幣識別装置４０３は、利用者から投入された紙幣、硬貨を取り込んだり又返却するための搬送機構、紙幣、貨幣の金種及び真贋を判別するための所定のセンサなどを有している。この貨幣識別装置４０３は既存の貨幣識別装置を用いることができる。
【００２９】
表示装置４０４は、制御部４０５により出力された情報を表示するための装置であり、エラー表示部４４、メッセージ表示部４５へ出力される情報を制御する。ここで、エラー表示部４４をＬＥＤなどの表示ランプ、メッセージ表示部４５を液晶などを用いたディスプレイにより構成し、表示装置４０４によりこれらを制御するように構成してもよい。
【００３０】
カードリーダ４０６は、利用者がカード挿入・排出部４６から挿入したカードの情報を読み取る装置である。カードリーダ４０６が読み取る情報としては、例えば、カード６に記憶されているカードＩＤやチェックデータが含まれる。また、これに加えて、カードリーダ４０６が、カード６の外形の大きさなどの物理情報を読み取るようにしてもよく、これら物理的な情報まで読み取るためにカードリーダ４０６は所定のセンサなどを有していてもよい。また、このカードリーダ４０６はカードの種類に応じて磁気カード用のリーダ、ＩＣカード用リーダ、光カード用リーダなどにより構成することができる。
【００３１】
ＲＡＭ４０７及びＲＯＭ４０８は、制御部が実行するためのコンピュータプログラムやその他のデータを保持するための内部メモリである。
また、バックアップ部４０９は、カードＩＤ、残額などのカード情報のバックアップデータを記憶する記憶部である。このバックアップ部４０９は、例えば、ＥＥＰＲＯＭ、ＣＤ−ＲＯＭ、ＭＯ（ｍａｇｎｅｔｏ−ｏｐｔｉｃ）などの不揮発性のメモリで構成することができる。このバックアップ部４０９により玉貸装置４により処理されたカード情報を記憶したり、またバックアップ部４０９に記憶されたカード情報などのデータを他の機器に装着するなどして読み出すことができるように構成されている。
【００３２】
制御部４０５は、貨幣識別装置４０３、表示装置４０４、バックアップ部４０９などを制御する処理を行う。制御部４０５はＣＰＵなどにより構成することができ、ＲＯＭ４０８などに記憶されているコンピュータプログラムを実行することにより、図５に示したカード情報処理部４０５１、照会情報処理部４０５２、玉貸処理部４０５３、設定金額判別部４０５４などの機能ブロックを構成することができる。
【００３３】
カード情報処理部４０５１は、カードリーダ４０６を制御して、カード６に記憶されている識別情報を読み取る処理を行う。また、カード情報処理部４０５１は、読み取ったカード情報からチェックコードの認証やカードの物理チェックなどの処理を行ってもよい。
また、カード情報処理部４０５１は、所定のタイミングでバックアップ部４０９にカード６のカードＩＤ及び残高の情報を記憶する処理を行うことができる。なお、書き込みのタイミングは、読み取ったカードＩＤ等を一旦ＲＡＭ４０７にバッファしておき一定時間分まとめて書き込みしてもよいし、またカード６が使用された都度書き込みを行ってもよく任意である。
【００３４】
照会情報処理部４０５２は、読み取ったカードＩＤを島端コンピュータ３に送信して、当該カードＩＤに関連付けて記憶されてる利用可能な残額の照会要求を行う。
【００３５】
玉貸処理部４０５３は、照会要求に応じて島端コンピュータ３から玉貸許可通知を受けた場合、当該カードの利用可能な残額の範囲内で利用者が指定した金額に応じた玉貸しを行うよう遊技台５に指示する処理を行う。
また、玉貸処理部４０５３は、入金処理部４０５４により設定されている金額よりも少ない金額の貨幣が投入された場合には、島端コンピュータ３が記憶している残高に加算せずに、遊技台５に玉貸指示する処理を行う。
【００３６】
金銭判別処理４０５４は、貨幣識別装置４０３から利用者が投入した金額の情報を受け取り、その金額が予め設定された設定金額よりも低いか否か判別する処理を行う。この設定金額は、デフォルト値としてプログラムに組み込んでおいてもよいし、またＲＡＭ４０７に記憶しておき、後で変更できるようにしてもよい。
また、入金処理部４０５４は、利用者が投入した金額が設定金額を超えていると判別した場合に、利用者により投入された金額に応じた有価価値を、カード６の残高へ加算する処理を行う。
【００３７】
遊技台５は、利用者がパチンコ遊技を行うための装置である。この遊技台５は、図４に示すように、遊技盤面５１、放出される玉の量を調整する調整ダイヤル５２、玉の貸出残高度数を表示する残高表示部５３、出玉を保持する受け皿５４を有している。また、遊技台５は、図示しない内部制御装置により、玉貸装置４からの玉貸指示に応じて遊技媒体としての玉を排出し、これにより利用者が遊技を行うことができる。
【００３８】
カード６は記憶媒体として利用者が保持するカードである。このカード６は、例えば、磁気カード、ＩＣカード、光カード或いはこれらを組み合わせたハイブリッドカードなどを用いることができる。このカード６には、カード６の識別情報としてのカードＩＤと、当該カード６が使用される店舗の店舗コードその他の管理データが記憶されているのみであり、残額などのいわゆる価値情報が記憶されていない、いわゆるノーバリューカードである。
【００３９】
次に、本実施形態にかかるシステムの処理について図６以下を参照して説明する。まず、利用者がカード６を挿入した際のシステムの処理の流れを図６に示す。
図６において、まず、玉貸装置４に利用者が保持しているカード６をカード挿入・排出部４６から挿入すると、カードリーダ４０６が挿入されたカードを受け付け、カード６に記憶されているカードＩＤ、管理データなどのデータを読み取る（Ｓ１０１）。
カード情報処理部４０５１は、カードリーダ４０６が読み取ったカードＩＤや管理データなどが適正なフォーマットのデータであるか否か判別する（Ｓ１０２）。
具体的には、カード情報処理部４０５１が、読み取ったデータの桁数やチェックコードなどが適正か否かを判別する。
【００４０】
判別の結果、適正ではない場合には、カード情報処理部４０５１はカードリーダ４０６に対してカード６の排出を指示することにより、カード挿入・排出部４６から挿入されたカード６を排出して処理を終了する（Ｓ１０３）。
また、判別の結果適正なデータである場合には、照会情報処理部４０５２が読み出したカードＩＤを当該玉貸装置４が属している島端コンピュータ３に送信して残高照会要求を行う（Ｓ１０４）。
【００４１】
残高照会要求がされると、島端コンピュータ３の許可情報処理部３０４は、カード情報記憶部３０１を参照して、通知されたカードＩＤが存在するか否か判別する（Ｓ１０５）。
判別の結果カードＩＤがカード情報記憶部３０１に存在しない場合には後述する問合せ処理に移行する。
【００４２】
また、Ｓ１０５の判別処理の結果、カードＩＤが存在している場合には、許可情報処理部３０４は、カード情報記憶部３０１に記憶されている残高をカード情報記憶部３０１から所定時間内に取得できたか否か判別する（Ｓ１０６）。
判別の結果、残高を取得できた場合には、取得した残高を玉貸装置４に通知する（Ｓ１０７）。これにより玉貸装置４の照会情報処理部４０５２は、表示装置４０４を制御して取得した残高を表示して（Ｓ１０８）、後述する消費処理に移る。
【００４３】
また、Ｓ１０６の判別処理の結果、所定時間内にカード残高を取得できない場合には、許可情報処理部３０４は玉貸装置４に対して残高が確認できない旨の残高不確認通知を行う（Ｓ１０９）。
【００４４】
玉貸装置４が残高不確認通知を受け取ると、照会情報処理部４０５２が、表示装置４０４を制御して残高が確認できない旨の残高不確認表示を行う（Ｓ１１０）。具体的には、表示装置４０４を制御してメッセージ表示部４５にその旨のメッセージを表示するなどする。
そして、照会情報処理部４０５２はカードリーダ４０６に対してカード排出指示を行い、カード挿入・排出部４６からカード６を排出して（Ｓ１１１）、処理を終了する。
【００４５】
次に、上述のＳ１０５の処理で他の島端コンピュータ３へ問合せを行う際の処理について図７を参照して説明する。なお、図７において利用者からカード６の挿入を受付けた玉貸装置４が属する島端コンピュータ３を島端コンピュータＡ、カード６のカード情報を保持している島端コンピュータ３を島端コンピュータＢとして説明する。
図７において、まず島端コンピュータＡの照会処理部３０５が、通信処理部３０３を介して他の島端コンピュータ３へカードＩＤなどを通知して照会要求を行う（Ｓ２０１）。
この照会要求は、例えば、照会処理部３０５が、アドレス情報記憶部３０２に記憶されている島端コンピュータ３のアドレス情報を基に、他の島端コンピュータ３に対して一斉に問合せを行ってもよいし、また所定の順番で順次他の島端コンピュータ３に対して問合せを行ってもよい。また、カード情報に発行元の島端コンピュータ３のＩＤなど、カード情報を保持している島端コンピュータ３を特定する情報を含んでいる場合には、その情報を基にカード情報を保持している島端コンピュータ３を特定して問合せを行ってもよい。
【００４６】
問合せを受けた島端コンピュータＢの照会要求受付処理部３０６は、カード情報記憶部３０１を参照して照会を受けたカードＩＤが存在するか否か判別する（Ｓ２０２）。
判別の結果、紹介要求されたカードＩＤが存在しない場合には、島端コンピュータＡに対してカードＩＤ不存在通知を行う（Ｓ２０３）。
また、判別の結果、カードＩＤが存在する場合には、照会要求受付処理部３０６は、カード情報記憶部３０１に記憶されているカードＩＤ、残高などのカード情報を、通信処理部３０３を介して島端コンピュータＡに対して通知する（Ｓ２０４）。
【００４７】
島端コンピュータＡは、カード情報が通知されると、照会処理部３０５が通信処理部３０３を介して受信したカードＩＤ、残高などのカード情報をカード情報記憶部３０１に記憶する（Ｓ２０５）。
カード情報の記憶が完了すると、照会処理部３０５は、島端コンピュータＢに対して当該受信したカード情報の消去を要求する（Ｓ２０６）。
【００４８】
島端コンピュータＡからの消去要求に応じて、島端コンピュータＢの照会要求受付処理部３０６は、島端コンピュータＡに通知したカード情報をカード情報記憶部３０１から消去し（Ｓ２０７）、消去が完了した旨を島端コンピュータＡに対して通知する（Ｓ２０８）。
【００４９】
島端コンピュータＡの照会処理部３０５は、消去要求を行った後に島端コンピュータＢから消去完了通知を受信したか否か判別する（Ｓ２１０）。
判別の結果、島端コンピュータＢから消去完了通知を受信した場合には、先に受信したカード情報記憶部３０１に記憶しておいたカード６の残高情報を玉貸装置４に通知する（Ｓ２１１）。
これにより玉貸装置４の照会情報処理部４０５２は、表示装置４０４を制御して残高を表示して（Ｓ２１２）、後述する消費処理に移行する。
【００５０】
また、上述のＳ２０３の処理で島管理コンピュータＢからカードＩＤ不存在通知を受けた場合及び、Ｓ２１０の処理で所定の時間内に島管理コンピュータＢから消去完了通知を受信していないと判別した場合には、島端コンピュータＡの照会処理部３０５は、玉貸装置４に対して残高が確認できなかった旨の通知を行う（Ｓ２１３）。
同時に、照会処理部３０５は、カード情報記憶部３０１に島端コンピュータＢから一旦受信したカードＩＤとカード残高が記憶されている場合には、当該データを消去して（Ｓ２１４）、処理を終了する。
【００５１】
また、残高が確認できない旨の通知を受けた玉貸装置４の照会情報処理部４０５２は、表示装置４０４を制御して残高が確認できない旨をメッセージ表示部４５に表示する（Ｓ２１５）。同時に、照会情報処理部４０５２はカードリーダ４０６を制御して挿入されているカード６をカード挿入・排出部４６から排出して（Ｓ２１６）、処理を終了する。
【００５２】
次に、入金処理について図８を参照して説明する。
図８において、まず利用者が紙幣挿入部４１又は硬貨挿入部４２に、紙幣又は硬貨を挿入すると、貨幣識別装置４０３が挿入された紙幣・硬貨の受付を行う（Ｓ３０１）。
貨幣識別装置４０３は、所定のセンサなどを用いて受付けた紙幣や硬貨の真贋を判別する（Ｓ３０２）。
判別の結果、投入された紙幣又は硬貨が真正でない場合には、貨幣識別装置４０３はこれを紙幣挿入部４１又は硬貨返却部４３から排出して（Ｓ３０３）、処理を終了する。
【００５３】
また、判別の結果投入された紙幣又は貨幣が真正なものであると判別された場合には、入金処理部４０５４は投入された金額が予め定められている設定金額以上であるか否か判別する（Ｓ３０４）。即ち、設定金額が１０００円であれば挿入金額が１０００円以上か否かを判別する。
【００５４】
判別の結果、設定金額以上ではない場合には、玉貸処理部４０５３は、挿入された金額に応じて遊技台５に対して玉貸し指示を行う（Ｓ３０５）。例えば、設定金額が１０００円の場合、挿入金額が５００円であれば５００円分の玉貸指示が行われる。
これにより、遊技台５は指示された金額に応じた玉数分だけ玉を排出して玉貸処理を行い（Ｓ３０６）、処理を終了する。
【００５５】
また、判別の結果、利用者により挿入された金額が設定金額以上であると判別された場合には、入金処理部４０５４は、カードリーダ４０６を制御してユーザによりカード６が挿入されているか否か判別する（Ｓ３０７）。
判別の結果、カード６が挿入されていない場合には、入金処理部４０５４は貨幣識別装置４０３を制御して挿入された紙幣又は硬貨を返却して（Ｓ３０８）、処理を終了する。
【００５６】
一方、判別の結果、カード６が既に挿入されている場合には、入金処理部４０５４は、カードＩＤ及び入金金額などのカード情報を当該玉貸装置４が属する島端コンピュータ３に対して通知する（Ｓ３０９）。
【００５７】
島端コンピュータ３の照会要求受付処理部３０６は、通知されたカード情報記憶部３０１を参照して、通知されたカードＩＤに基づいて検索し、当該カードＩＤに対応付けられている残高に入金額を加えて残高に更新する（Ｓ３１０）。
照会要求受付処理部３０６はこの更新処理が所定の時間内に終了したか否かを判別する（Ｓ３１１）。
判別の結果、所定時間内に終了した場合には、玉貸装置４に対して最新更新残高を通知して（Ｓ３１２）、処理を終了する。
【００５８】
また、Ｓ３１１の判別の結果、所定時間に更新処理が終了しない場合には、ヘルスチェック処理部３０７は、自己ヘルスチェックを実行する（Ｓ３１３）。この結果、エラーが発生している場合には、ヘルスチェック処理部３０７は玉貸装置４に対して島端コンピュータ３のエラーにより入金ができない旨を通知するとともに（Ｓ３１４）、店内管理コンピュータ２に対してもエラーを通知して（Ｓ３１５）、装置の停止処理を行い（Ｓ３１６）、処理を終了する。
【００５９】
一方、玉貸装置４の入金処理部４０５４は、Ｓ３０９の処理で島端コンピュータ３に対してカードＩＤ等を通知してから所定時間内に島端コンピュータ３から応答があったか否か判別する処理を行う（Ｓ３１７）。
この状態で、Ｓ３１０の処理により残高が通知されると、入金処理部４０５４が表示装置４０４を制御して通知された残高をメッセージ表示部４５に表示して（Ｓ３１８）、後述する消費処理に移行する
【００６０】
また、上述のＳ３１２の処理で島端コンピュータ３から入金不可通知を受けた場合又はＳ３１５の処理で島端コンピュータ３から所定時間内に応答がないと判別された場合には、入金処理部４０５４が表示装置４０４を制御して入金不可又は残高一時使用停止の表示を行う（Ｓ３１９）。
これと同時に、入金処理部４０５４は、カードリーダ４０６を制御して挿入されているカード６を排出するとともに（Ｓ３２０）、紙幣又は硬貨が挿入されている場合には貨幣識別装置４０３を制御して挿入されている紙幣及び硬貨を返却して（Ｓ３２１）、処理を終了する。
【００６１】
次に、消費処理について図９を参照して説明する。
図９において、利用者が玉貸装置４又は遊技台５に設けられた図示しない消費ボタンを押すなどして玉貸の消費指示入力を行うと、玉貸装置４の玉貸処理部４０５３は利用者から入力された消費指示を受付ける（Ｓ４０１）。
消費指示を受付けると玉貸処理部４０５３は、カードリーダ４０６を制御してカード６が挿入されているか否か判別する（Ｓ４０２）。
判別の結果、カード６が挿入されていない場合には、玉貸処理部４０５３は表示装置４０４を制御してカード挿入を促すメッセージをメッセージ表示部４５に表示するなどしてカードが挿入されるまでカード挿入の検出処理を繰り返す。
【００６２】
カード挿入が検知されると、玉貸処理部４０５３はカードリーダ４０６を制御してカードのＩＤを読み取り、当該カードＩＤと消費要求された金額などを玉貸装置４が属している島端コンピュータ３に通知して消費照会を行う（Ｓ４０３）。
【００６３】
消費照会を受けた島端コンピュータ３の許可情報処理部３０４は、カード情報記憶部３０１を参照して照会を受けたカードＩＤが存在するか及びその消費要求された金額が残高の範囲内か否かを判別する（Ｓ４０４）。
判別の結果、カードＩＤが存在しない場合又は消費要求された金額が残高を超えている場合には、許可情報処理部３０４は玉貸装置４に対してエラー通知を行い（Ｓ４０５）、処理を終了する。
【００６４】
また、判別の結果、消費要求された金額が残高の範囲内である場合には、照会要求受付処理部３０６がカード情報記憶部３０１のカード残高を消費後の残高に更新する（Ｓ４０６）。具体的には、照会要求受付処理部３０６が従前の残高から今回の消費金額を引いた額を最新残高とする。
残高の更新が完了すると、許可情報処理部３０４が、玉貸装置４に対して更新後の最新残高を通知する（Ｓ４０７）。
【００６５】
玉貸装置４の玉貸処理部４０５３は、島端コンピュータ３からエラー通知がされないか否か判別する（Ｓ４０８）。
上述のＳ４０６の処理により、島端コンピュータ３からエラー通知がされたと判別した場合には、表示装置４０４を制御してエラー表示を行い（Ｓ４０９）、処理を終了する。
【００６６】
また、エラー通知がない場合、即ち上述のＳ４０７の処理により島端コンピュータ３から残高が通知された場合には、玉貸処理部４０５３はバックアップ部４０９に保持しておいた当該カードＩＤに対応する旧残高を取得し、この旧残高から今回通知された最新残高を引いた額が、利用者から消費要求された消費予定額と一致するか否か判別する（Ｓ４１０）。
判別の結果、一致しない場合には、Ｓ４０９の処理と同様エラー処理を行い、処理を終了する。
また、判別の結果、一致する場合には、玉貸処理部４０５３は、遊技台５に対して利用者が要求した金額分の玉貸しを指示する（Ｓ４１１）
また、玉貸処理部４０５３は、同時にバックアップ部４０９に当該カードＩＤに対応付けて最新の残高を記憶する（Ｓ４１２）。
【００６７】
そして、玉貸装置４から玉貸し指示を受けた遊技台５は、玉貸装置４から指示された消費金額に応じた数の玉を排出して玉貸し処理を行い（Ｓ４１３）、玉貸処理を終了する。
【００６８】
また、利用者が遊技を終了する場合、利用者により図示しないカード取り出しボタンが指示されると、カード情報処理部４０５１が島端コンピュータ３に対してカード排出通知を行う（Ｓ４１４）。
【００６９】
島端コンピュータ３の照会要求受付処理部３０６は、玉貸装置４からカード排出通知がされたか否かを判別する（Ｓ４１５）。この状態で、照会要求受付処理部３０６は、カード排出通知がない場合には待機状態に移行する。
また、玉貸装置４からカード排出通知を受信すると、照会要求受付処理部３０６は仮更新していた残高に対して、実更新がされた旨のフラグを記憶するなどにより残高を確定する実更新を行い（Ｓ４１６）、処理を終了する。
【００７０】
このように本実施形態によれば、カード６自体には残高などの有価価値情報が記憶されていないことから、カード６が偽造、変造されてもその残高を改変することができず、セキュリティ性が向上する。
また、カード６には残高が記憶されていないことから、例えば、島端コンピュータ３がダウンした場合或いは島端コンピュータ３と玉貸装置４との間の通信が不通の場合には、カード６の使用を禁止することができ、この間に不正にカード６が使用されたり、そのカード６のデータが改変されることを防止できる。
また、複数の島端コンピュータ３によりカード情報を分散管理していることから、例えいずれかの島端コンピュータ３がダウンしたとしても、ホール全体としては他の島端コンピュータ３が管理している島ではカード６による遊技が可能となり、ホールの営業への影響を最小限にとどめることができる。
【００７１】
また、島端コンピュータ３が、カード情報を保持していない時には、他の島端コンピュータ３に対してカード情報の照会を行った後に、当該他の島端コンピュータに対してカード情報の消去を要求するようにしたことから、当該カード６が現在使用されている玉貸装置４が属している島端コンピュータ３がカード情報を管理することとなり、残額が使用されるごとに他の島端コンピュータ３に問い合わせを行う必要がなく、システムの負荷を軽減することができる。
【００７２】
また、バックアップ部４０９により、カードＩＤと残高とを記憶しておくようにしたことから、より上位の店内管理コンピュータ２にカード情報を記憶しておかなくとも、このバックアップ部４０９に記憶されている残高に基づいて処理を行うことも可能となり、店内管理コンピュータ２の通信負荷を軽減することができる。
【００７３】
また、店内管理コンピュータ２により、所定のタイミングで各島端コンピュータ３が管理しているカードＩＤ及び残高を収集するようにすれば、店内のカード使用金額などを把握することができる。
【００７４】
また、玉貸装置４が、予め設定された設定金額よりも低い金額が利用者により挿入された場合には、当該入金額を島端コンピュータ３が記憶しているカード６の残高に加算することなく、玉貸処理を行うようにしたことから、設定金額以下の入金に対しては、わざわざ残額に加算するまでもなく、玉貸しを行うことができる。これにより、島端コンピュータ３に対して残額の加算要求を行う処理を行う必要が無く、システムの負荷を軽減できるし、また、島端コンピュータ３に対して残高照会要求が行えない場合であっても、設定金額以下の入金に対しては遊技媒体の貸出を行うことができ利用者の遊技を中断することなく遊技を継続できる。さらに、設定金額以下であれば、利用者はわざわざ玉貸ボタンを押すなどの面倒なことを行わなくとも、現金玉貸装置と同様に利用することができる。
【００７５】
また、利用者が投入した金額が所定金額を超えている場合に、投入金額を残高に加算できるようにしたことから、利用者は玉貸装置４により簡単にチャージをすることができる。特に、玉貸装置４が台間に配置されている場合には、利用者は席を立たなくとも設定金額以上の金額のチャージが可能となる。
【００７６】
上述の実施形態では、記憶媒体としてカードを用いる例について説明したが本発明はこれに限定されるものではなく、情報記憶できるものであればＩＣタグ、携帯端末などを利用してもよい。また、無線で通信可能な記憶媒体を利用してもよい。
また、上述の実施形態では、設定金額以上の場合には、カード６の残高に加算する例について説明したが、チャージだけでなく玉貸装置４が入金金額に応じた新たなカード６を発行するようにしてもよい。
【００７７】
上述の実施形態は、本発明の一例を示したものであって、本発明の要旨を逸脱しない範囲で種々の変更が可能である。
【００７８】
【発明の効果】
本発明によれば、遊技用有価価値情報を処理するシステムのセキュリティ性を向上させることができる。
またシステムのセキュリティ性を保ちつつ利用者が遊技を中断することがないようにすることで利用者の利便性を向上できる。
【図面の簡単な説明】
【図１】本発明にかかる遊技場用有価情報管理システムを適用したシステムの一実施形態を示した全体構成図。
【図２】本実施形態にかかる島端コンピュータの機能ブロック図。
【図３】本実施形態にかかるカード情報記憶部に記憶されるデータの一例を示した図。
【図４】本実施形態にかかる玉貸装置及び遊技台の外観構成を示した図。
【図５】本実施形態にかかる玉貸装置の機能ブロック図。
【図６】本実施形態にかかるカード挿入時のシステムの処理を示した処理フロー。
【図７】本実施形態にかかる島端コンピュータが他の島端コンピュータに対して問合せを行う際の処理を示した処理フロー。
【図８】本実施形態にかかるシステムにより入金処理を行う場合の処理を示した処理フロー。
【図９】本実施形態にかかるカード残高を消費する際の処理を示した処理フロー。
【符号の説明】
１        管理センタ
２        店内管理コンピュータ
３        島端コンピュータ
４        玉貸装置
５        遊技台
６        カード
３０１    カード情報記憶部
３０４    許可情報処理部
３０５    照会処理部
３０６    照会要求受付処理部
４０３    貨幣識別装置
４０５    制御部
４０９    バックアップ部
４０５１  カード情報処理部
４０５２  照会情報処理部
４０５３  玉貸処理部
４０５４  設定金額判別部
【図１】
2004344214.tif 000003
【図２】
2004344214.tif 000004
【図３】
2004344214.tif 000005
【図４】
2004344214.tif 000006
【図５】
2004344214.tif 000007
【図６】
2004344214.tif 000008
【図７】
2004344214.tif 000009
【図８】
2004344214.tif 000010
【図９】
2004344214.tif 000011